(57)【特許請求の範囲】
【請求項１】
ＤＲＸモードで端末が上りリンク同期を維持する処理方法であって、
基地局における第１のカウンターを介して端末がデータスケジューリングを実行しない場合の第１の時間長を記録するステップと、
前記第１の時間長が第１の閾値より大きいかどうかを判断し、
前記第１の時間長が前記第１の閾値以上である場合、前記基地局がタイミングアドバンスＴＡコマンドを送信しなく、
前記第１の時間長が前記第１の閾値より小さい場合、前記基地局が時間アライメントタイマーＴＡＴｉｍｅｒのタイミング時間長と不連続受信（ＤＲＸ）周期との比較結果によって前記ＴＡコマンドの送信を確定するステップとを含み、
前記基地局が時間アライメントタイマーＴＡＴｉｍｅｒのタイミング時間長と不連続受信（ＤＲＸ）周期との比較結果によって前記ＴＡコマンドの送信を確定するステップは、
前記ＴＡＴｉｍｅｒのタイミング時間長が前記ＤＲＸ周期より大きい場合、前記基地局が、前記ＴＡＴｉｍｅｒがタイムアウトになる前の最後の持続時間内に前記ＴＡコマンドを送信し、
前記ＴＡＴｉｍｅｒのタイミング時間長が前記ＤＲＸ周期に等しい場合、前記基地局が、各前記持続時間内に前記ＴＡコマンドを送信し、
前記ＴＡＴｉｍｅｒのタイミング時間長が前記ＤＲＸ周期より小さい場合、前記基地局が、第２のカウンターを介して前記端末が非アクティブ状態にある場合の第２の時間長を記録し、前記第２の時間長が第２の閾値より大きい場合、前記基地局が前記ＴＡコマンドを送信することを含むことを特徴とする、前記方法。
【請求項２】
前記ＴＡＴｉｍｅｒのタイミング時間長が前記ＤＲＸ周期より大きい場合、前記基地局が、前記ＴＡＴｉｍｅｒがタイムアウトになる前の最後の持続時間内に前記ＴＡコマンドを送信するステップは、
前記ＴＡＴｉｍｅｒのタイミング時間長がタイムアウトになるかどうかを判断し、前記ＴＡＴｉｍｅｒのタイミング時間長がタイムアウトになる時間までまだ１つの前記ＤＲＸ周期があると、タイムアウトにならない期間における前記持続期間内に前記ＴＡコマンドを送信し、それ以外の場合は、前記ＴＡコマンドの送信を停止することを含むことを特徴とする
請求項１に記載の方法。
【請求項３】
前記ＴＡＴｉｍｅｒのタイミング時間長が前記ＤＲＸ周期より小さい場合、前記基地局が第２のカウンターを介して前記端末が非アクティブ状態にある場合の第２の時間長を記録し、前記第２の時間長が第２の閾値より大きい場合、前記基地局が前記ＴＡコマンドを送信するステップは、
前記基地局が前記端末の状態を判断し、
前記端末が非アクティブ状態からアクティブ状態に入る場合、前記基地局が、前記第２の時間長が前記第２の閾値より大きい場合に、前記ＴＡコマンドを送信し、
前記端末がずっと前記アクティブ状態にある場合、前記ＴＡＴｉｍｅｒのタイミング時間長がタイムアウトになると、前記基地局が、前記ＴＡコマンドを送信することを含むことを特徴とする
請求項１に記載の方法。
【請求項４】
前記持続時間内に前記ＴＡコマンドを送信することは、
前記持続時間タイマーが起動時間になるかどうかを判断し、
起動時間になった場合、前記基地局が前記ＴＡコマンドを送信することを特徴とする
請求項１〜３のいずれか１項に記載の方法。
【請求項５】
ＤＲＸモードで端末が上りリンク同期を維持する処理装置であって、
基地局における第１のカウンターを介して端末がデータスケジューリングを実行しない場合の第１の時間長を記録することに用いられる記録ユニットと、
前記第１の時間長が第１の閾値より大きいかどうかを判断し、前記第１の時間長が前記第１の閾値以上である場合、前記基地局がタイミングアドバンスＴＡコマンドを送信しなく、前記第１の時間長が前記第１の閾値より小さい場合、前記基地局が時間アライメントタイマーＴＡＴｉｍｅｒのタイミング時間長と不連続受信（ＤＲＸ）周期との比較結果によって前記ＴＡコマンドの送信を確定することに用いられる処理ユニットと、を備え、
前記処理ユニットは、
前記ＴＡＴｉｍｅｒのタイミング時間長が前記ＤＲＸ周期より大きい場合、前記基地局が、前記ＴＡＴｉｍｅｒがタイムアウトになる前の最後の持続時間内に前記ＴＡコマンドを送信することに用いられる第１の処理モジュールと、
前記ＴＡＴｉｍｅｒのタイミング時間長が前記ＤＲＸ周期に等しい場合、前記基地局が各前記持続時間内に前記ＴＡコマンドを送信することに用いられる第２の処理モジュールと、
前記ＴＡＴｉｍｅｒのタイミング時間長が前記ＤＲＸ周期より小さい場合、前記基地局が第２のカウンターを介して前記端末が非アクティブ状態にある場合の第２の時間長を記録し、前記第２の時間長が第２の閾値より大きい場合に、前記基地局が前記ＴＡコマンドを送信することに用いられる第３の処理モジュールと、を含むことを特徴とする、前記装置。
【請求項６】
前記第１の処理モジュールは、
前記ＴＡＴｉｍｅｒのタイミング時間長がタイムアウトになるかどうかを判断し、前記ＴＡＴｉｍｅｒのタイミング時間長がタイムアウトになる時間までまだ１つの前記ＤＲＸ周期があると、タイムアウトにならない期間における前記持続期間内に前記ＴＡコマンドを送信し、それ以外の場合は、前記ＴＡコマンドの送信を停止することに用いられる第１の判断モジュールを含むことを特徴とする
請求項５に記載の装置。
【請求項７】
前記第３の処理モジュールは、
前記端末の状態を判断し、前記端末が非アクティブ状態から前記アクティブ状態に入る場合、前記基地局が、前記第２の時間長が前記第２の閾値より大きい場合に、前記ＴＡコマンドを送信し、前記端末がずっと前記アクティブ状態にある場合、前記ＴＡＴｉｍｅｒのタイミング時間長がタイムアウトになると、前記基地局が前記ＴＡコマンドを送信することに用いられる第２の判断モジュールを含むことを特徴とする
請求項５に記載の装置。
【請求項８】
前記装置は、前記持続時間タイマーが起動時間になるかどうかを判断し、起動時間になった場合、前記基地局が前記ＴＡコマンドを送信することに用いられる第３の判断モジュールを更に備えることを特徴とする
請求項５〜７のいずれか１項に記載の装置。
【発明の詳細な説明】
【技術分野】
【０００１】
本発明は、通信分野に関し、具体的には、特に、不連続受信（ＤＲＸ  ：Ｄｉｓｃｏｎｔｉｎｕｏｕｓ  Ｒｅｃｅｐｔｉｏｎ）モードで端末が上りリンク同期を維持する処理方法及び装置に関する。
【背景技術】
【０００２】
第３世代移動通信長期発展型（ＬＴＥ：  Ｌｏｎｇ  Ｔｅｒｍ  Ｅｖｏｌｕｔｉｏｎ）システムにおいて、ユーザ装置（ＵＥ：Ｕｓｅｒ  Ｅｑｕｉｐｍｅｎｔが端末とも称される）の電池消費量を節約するために、システムに不連続受信（ＤＲＸ：  Ｄｉｓｃｏｎｔｉｎｕｏｕｓ  Ｒｅｃｅｐｔｉｏｎ）機能が配置されている。ＤＲＸにより、ＵＥは、一定時間内に物理下りリンク制御チャネル（ＰＤＣＣＨ：  ＰｈｙＳｉｃａｌ  Ｄｏｗｎｌｉｎｋ  Ｃｏｎｔｒｏｌ  Ｃｈａｎｎｅｌ）に対するモニタリングを停止することができる。
【０００３】
ＤＲＸ周期（ＤＲＸ  Ｃｙｃｌｅ）とは、持続時間（ＯｎＤｕｒａｔｉｏｎ）と非アクティブ時間（Ｉｎａｃｔｉｖｅ）が周期的に繰り返すものである。
【０００４】
持続時間タイマー（ＯｎＤｕｒａｔｉｏｎ  Ｔｉｍｅｒ）は、ＤＲＸ周期の開始時にＵＥが連続的にモニタリングする必要があるＰＤＣＣＨのサブフレームの数を定義している。
【０００５】
図１は関連技術によるＤＲＸの動作原理を示す図である。図１に示すように、ＤＲＸが配置された場合、ＵＥのアクティブ時間（Ａｃｔｉｖｅ  Ｔｉｍｅ）は、持続時間タイマーまたはＤＲＸ非アクティブタイマーまたはＤＲＸ再送信タイマーまたはコンテンション解決タイマーが運転する場合の時間、スケジューリング要求（ＳＲ：Ｓｃｈｅｄｕｌｉｎｇ  Ｒｅｑｕｅｓｔ）が中断された時間、ハイブリッド自動再送要求（ＨＡＲＱ：Ｈｙｂｒｉｄ  Ａｕｔｏｍａｔｉｃ  Ｒｅｐｅａｔ  ｒｅｑｕｅｓｔ）が上りリンク許可を再送信して割り当てるのに必要な時間、及び、ＵＥがランダムアクセス応答メッセージを成功に受信した後にＰＤＣＣＨによって示されるＵＥのセル無線ネットワーク一時識別子（Ｃ−ＲＮＩＩ：Ｃｅｌｌ  Ｒａｄｉｏ  Ｎｅｔｗｏｒｋ  Ｔｅｍｐｏｒａｒｙ  Ｉｄｅｎｔｉｆｉｅｒ）または一時Ｃ−ＲＮＴＩに対する新たな伝送を受信しない時間を含む。ＤＲＸが配置された場合、ＵＥは、アクティブ時間のみでＣ−ＲＮＴＩ、ＴＰＣ−ＰＵＣＣＨ−ＲＮＴＩ、ＴＰＣ−ＰＵＳＣＨ−ＲＮＴＩ  及び  Ｓｅｍｉ−Ｐｅｒｓｉｓｔｅｎｔ  Ｓｃｈｅｄｕｌｉｎｇ  Ｃ−ＲＮＴＩがスクランブリングされたＰＤＣＣＨをモニタリングする。
【０００６】
時間アライメントタイマー（ｔｉｍｅＡｌｉｇｎｍｅｎｔＴｉｍｅｒ）は、ＬＴＥシステムがＵＥの上りリンク同期状態を維持するためのタイマーである。上りリンク同期状態の維持は、ＵＥが発展型基地局（ｅＮｏｄｅＢ）と正常に通信する基本的な条件であり、ＵＥが同期化される場合、ＵＥ、ｅＮｏｄｅＢの両方のクロックスキューまたはチャンネル状況の変更ので非同期状態になる可能性がある。時間アライメントタイマーｔｉｍｅＡｌｉｇｎｍｅｎｔＴｉｍｅｒの時間長が無限大に配置される場合、上りリンク測定によりＴＡ調整値が非ゼロであるのを見つけると、ＴＡコマンドを送信する必要がある。時間アライメントタイマーｔｉｍｅＡｌｉｇｎｍｅｎｔＴｉｍｅｒの時間長が有限長に配置される場合、ｔｉｍｅＡｌｉｇｎｍｅｎｔＴｉｍｅｒのタイムアウト時間内に、ｅＮｏｄｅＢは、タイミングアドバンスコマンドＭＡＣ制御要素（ＴＡコマンド：Ｔｉｍｉｎｇ  Ａｄｖａｎｃｅ  Ｃｏｍｍａｎｄ  ＭＡＣ  ｃｏｎｔｒｏｌ  ｅｌｅｍｅｎｔ）をＵＥに受信して、ＵＥの上りリンクタイミングを一回調整または確認する必要があり、ｔｉｍｅＡｌｉｇｎｍｅｎｔＴｉｍｅｒがタイムアウトになるときにＵＥがまだＴＡコマンドを受信していない場合、ＵＥは、上りリンク非同期であると認定し、上りリンクまたは下りリンクデータがある場合、改めてランダムにアクセスして同期化される必要がある。
【０００７】
基地局がデータを送信してＵＥに到着するまでには一定の遅延があるので、時間アライメントタイマーｔｉｍｅＡｌｉｇｎｍｅｎｔＴｉｍｅｒがタイムアウトになる前に端末がＴＡコマンドを受信できるように保証するために、基地局側によって維持される時間アライメントタイマー（ＴＡＴｉｍｅｒ）の時間長は、ｔｉｍｅＡｌｉｇｎｍｅｎｔＴｉｍｅｒから１つのＴＡ送信アドバンス時間（例えば３０ｍｓ）を引くものとなり、基地局は、ＴＡＴｉｍｅｒがタイムアウトになる前にＴＡコマンドを送信する必要がある。
上記の従来技術においてＵＥにＤＲＸが配置された場合、ＴＡＴｉｍｅｒの時間周期になり、かつＴＡコマンドを送信する必要がある時に、ＵＥがアクティブ時間にあることではないのでＵＥがＴＡコマンドを受信せず、上りリンク非同期状態に入る問題に対して、まだ効果的な解決策がない。
【発明の概要】
【発明が解決しようとする課題】
【０００８】
本発明の主な目的は、従来技術においてＵＥにＤＲＸが配置された場合に、ＴＡＴｉｍｅｒ時間周期になり、かつＴＡコマンドを送信する必要がある時に、ＵＥがアクティブ時間にあることではないので、ＵＥがＴＡコマンドを受信せず、上りリンク非同期状態に入る問題を解決するように、ＤＲＸモードで端末が上りリンク同期を維持する処理方法及び装置を提供することにある。
【課題を解決するための手段】
【０００９】
上記目的を実現するために、本発明の一態様によれば、ＤＲＸモードで端末が上りリンク同期を維持する処理方法を提供している。
【００１０】
本発明に係るＤＲＸモードで端末が上りリンク同期を維持する処理方法は、基地局における第１のカウンターを介して端末がデータスケジューリングを実行しない場合の第１の時間長を記録するステップと、第１の時間長が第１の閾値より大きいかどうかを判断し、第１の時間長が第１の閾値以上である場合、基地局がタイミングアドバンスＴＡコマンドを送信しなく、第１の時間長が第１の閾値より小さい場合、基地局が時間アライメントタイマー（ＴＡＴｉｍｅｒ）のタイミング時間長と不連続受信（ＤＲＸ）周期との比較結果によってＴＡコマンドの送信を確定するステップとを含む。
【００１１】
更に、基地局が時間アライメントタイマー（ＴＡＴｉｍｅｒ）のタイミング時間長と不連続受信（ＤＲＸ）周期との比較結果によってＴＡコマンドの送信を確定するステップは、ＴＡＴｉｍｅｒのタイミング時間長がＤＲＸ周期より大きい場合、基地局が、ＴＡＴｉｍｅｒがタイムアウトになる前の最後の持続時間内にＴＡコマンドを送信し、ＴＡＴｉｍｅｒのタイミング時間長がＤＲＸ周期に等しい場合、基地局が、各持続時間内にＴＡコマンドを送信し、ＴＡＴｉｍｅｒのタイミング時間長がＤＲＸ周期より小さい場合、基地局が、第２のカウンターを介して端末が非アクティブ状態にある場合の第２の時間長を記録し、第２の時間長が第２の閾値より大きい場合、基地局がＴＡコマンドを送信することを含む。
【００１２】
更に、ＴＡＴｉｍｅｒのタイミング時間長がＤＲＸ周期より大きい場合、基地局がＴＡＴｉｍｅｒがタイムアウトになる前の最後の持続時間内にＴＡコマンドを送信するステップは、ＴＡＴｉｍｅｒのタイミング時間長がタイムアウトになるかどうかを判断し、ＴＡＴｉｍｅｒのタイミング時間長がタイムアウトになる時間までまだ１つのＤＲＸ周期の長さがあると、タイムアウトにならない期間における持続期間内にＴＡコマンドを送信し、それ以外の場合は、ＴＡコマンドの送信を停止することを含む。
【００１３】
更に、ＴＡＴｉｍｅｒのタイミング時間長がＤＲＸ周期より小さい場合、基地局が第２のカウンターを介して端末が非アクティブ状態にある場合の第２の時間長を記録し、第２の時間長が第２の閾値より大きい場合、基地局がＴＡコマンドを送信するステップは、基地局が端末の状態を判断し、端末が非アクティブ状態からアクティブ状態に入る場合、基地局が、第２の時間長が第２の閾値より大きい場合に、ＴＡコマンドを送信し、端末がずっとアクティブ状態にある場合、ＴＡＴｉｍｅｒのタイミング時間長がタイムアウトになると、基地局がＴＡコマンドを送信することを含む。
【００１４】
更に、持続時間内にＴＡコマンドを送信するステップは、持続時間タイマーが起動時間になるかどうか判断し、起動時間になった場合、基地局がＴＡコマンドを送信することを含む。
【００１５】
上記目的を実現するために、本発明の別の態様によれば、ＤＲＸモードで端末が上りリンク同期を維持する処理装置を提供している。
【００１６】
本願に係るＤＲＸモードで端末が上りリンク同期を維持する処理装置は、基地局における第１のカウンターを介して端末がデータスケジューリングを実行しない場合の第１の時間長を記録することに用いられる記録ユニットと、第１の時間長が第１の閾値より大きいかどうかを判断し、第１の時間長が第１の閾値以上である場合、基地局がタイミングアドバンスＴＡコマンドを送信しなく、第１の時間長が第１の閾値より小さい場合、基地局が時間アライメントタイマーＴＡＴｉｍｅｒのタイミング時間長と不連続受信ＤＲＸ周期との比較結果によってＴＡコマンドの送信を確定することに用いられる処理ユニットと、を備える。
【００１７】
更に、処理ユニットは、ＴＡＴｉｍｅｒのタイミング時間長がＤＲＸ周期より大きい場合、基地局がＴＡＴｉｍｅｒがタイムアウトになる前の最後の持続時間内にＴＡコマンドを送信することに用いられる第１の処理モジュールと、ＴＡＴｉｍｅｒのタイミング時間長がＤＲＸ周期に等しい場合、基地局が各持続時間内にＴＡコマンドを送信することに用いられる第２の処理モジュールと、ＴＡＴｉｍｅｒのタイミング時間長がＤＲＸ周期より小さい場合、基地局が第２のカウンターを介して端末が非アクティブ状態にある場合の第２の時間長を記録し、第２の時間長が第２の閾値より大きい場合に、基地局がＴＡコマンドを送信することに用いられる第３の処理モジュールと、を含む。
【００１８】
更に、第１の処理モジュールは、ＴＡＴｉｍｅｒのタイミング時間長がタイムアウトになるかどうかを判断し、ＴＡＴｉｍｅｒのタイミング時間長がタイムアウトになる時間までまだ１つのＤＲＸ周期の長さがあると、タイムアウトにならない期間における持続期間内にＴＡコマンドを送信し、それ以外の場合は、ＴＡコマンドの送信を停止することに用いられる第１の判断モジュールを含む。
【００１９】
更に、第３の処理モジュールは、端末の状態を判断し、端末が非アクティブ状態からアクティブ状態に入る場合、基地局が、第２の時間長が第２の閾値より大きい場合に、ＴＡコマンドを送信し、端末がずっとアクティブ状態にある場合、ＴＡＴｉｍｅｒのタイミング時間長がタイムアウトになると、基地局が、ＴＡコマンドを送信することに用いられる第２の判断モジュールを含む。
【００２０】
更に、装置は、持続時間タイマーが起動時間になるかどうかを判断し、起動時間になった場合、基地局がＴＡコマンドを送信することに用いられる第３の判断モジュールを更に含む。
本発明は、例えば、以下を提供する。
（項目１）
ＤＲＸモードで端末が上りリンク同期を維持する処理方法であって、
基地局における第１のカウンターを介して端末がデータスケジューリングを実行しない場合の第１の時間長を記録するステップと、
前記第１の時間長が第１の閾値より大きいかどうかを判断し、
前記第１の時間長が前記第１の閾値以上である場合、前記基地局がタイミングアドバンスＴＡコマンドを送信しなく、
前記第１の時間長が前記第１の閾値より小さい場合、前記基地局が時間アライメントタイマーＴＡＴｉｍｅｒのタイミング時間長と不連続受信（ＤＲＸ）周期との比較結果によって前記ＴＡコマンドの送信を確定するステップとを含むことを特徴とする、前記方法。
（項目２）
前記基地局が時間アライメントタイマーＴＡＴｉｍｅｒのタイミング時間長と不連続受信（ＤＲＸ）周期との比較結果によって前記ＴＡコマンドの送信を確定するステップは、
前記ＴＡＴｉｍｅｒのタイミング時間長が前記ＤＲＸ周期より大きい場合、前記基地局が、前記ＴＡＴｉｍｅｒがタイムアウトになる前の最後の持続時間内に前記ＴＡコマンドを送信し、
前記ＴＡＴｉｍｅｒのタイミング時間長が前記ＤＲＸ周期に等しい場合、前記基地局が、各前記持続時間内に前記ＴＡコマンドを送信し、
前記ＴＡＴｉｍｅｒのタイミング時間長が前記ＤＲＸ周期より小さい場合、前記基地局が、第２のカウンターを介して前記端末が非アクティブ状態にある場合の第２の時間長を記録し、前記第２の時間長が第２の閾値より大きい場合、前記基地局が前記ＴＡコマンドを送信することを含むことを特徴とする
項目１に記載の方法。
（項目３）
前記ＴＡＴｉｍｅｒのタイミング時間長が前記ＤＲＸ周期より大きい場合、前記基地局が、前記ＴＡＴｉｍｅｒがタイムアウトになる前の最後の持続時間内に前記ＴＡコマンドを送信するステップは、
前記ＴＡＴｉｍｅｒのタイミング時間長がタイムアウトになるかどうかを判断し、前記ＴＡＴｉｍｅｒのタイミング時間長がタイムアウトになる時間までまだ１つの前記ＤＲＸ周期があると、タイムアウトにならない期間における前記持続期間内に前記ＴＡコマンドを送信し、それ以外の場合は、前記ＴＡコマンドの送信を停止することを含むことを特徴とする
項目２に記載の方法。
（項目４）
前記ＴＡＴｉｍｅｒのタイミング時間長が前記ＤＲＸ周期より小さい場合、前記基地局が第２のカウンターを介して前記端末が非アクティブ状態にある場合の第２の時間長を記録し、前記第２の時間長が第２の閾値より大きい場合、前記基地局が前記ＴＡコマンドを送信するステップは、
前記基地局が前記端末の状態を判断し、
前記端末が非アクティブ状態からアクティブ状態に入る場合、前記基地局が、前記第２の時間長が前記第２の閾値より大きい場合に、前記ＴＡコマンドを送信し、
前記端末がずっと前記アクティブ状態にある場合、前記ＴＡＴｉｍｅｒのタイミング時間長がタイムアウトになると、前記基地局が、前記ＴＡコマンドを送信することを含むことを特徴とする
項目２に記載の方法。
（項目５）
前記持続時間内に前記ＴＡコマンドを送信することは、
前記持続時間タイマーが起動時間になるかどうかを判断し、
起動時間になった場合、前記基地局が前記ＴＡコマンドを送信することを特徴とする
項目２〜４のいずれか１項に記載の方法。
（項目６）
ＤＲＸモードで端末が上りリンク同期を維持する処理装置であって、
基地局における第１のカウンターを介して端末がデータスケジューリングを実行しない場合の第１の時間長を記録することに用いられる記録ユニットと、
前記第１の時間長が第１の閾値より大きいかどうかを判断し、前記第１の時間長が前記第１の閾値以上である場合、前記基地局がタイミングアドバンスＴＡコマンドを送信しなく、前記第１の時間長が前記第１の閾値より小さい場合、前記基地局が時間アライメントタイマーＴＡＴｉｍｅｒのタイミング時間長と不連続受信（ＤＲＸ）周期との比較結果によって前記ＴＡコマンドの送信を確定することに用いられる処理ユニットと、を備える特徴とする、前記装置。
（項目７）
前記処理ユニットは、
前記ＴＡＴｉｍｅｒのタイミング時間長が前記ＤＲＸ周期より大きい場合、前記基地局が、前記ＴＡＴｉｍｅｒがタイムアウトになる前の最後の持続時間内に前記ＴＡコマンドを送信することに用いられる第１の処理モジュールと、
前記ＴＡＴｉｍｅｒのタイミング時間長が前記ＤＲＸ周期に等しい場合、前記基地局が各前記持続時間内に前記ＴＡコマンドを送信することに用いられる第２の処理モジュールと、
前記ＴＡＴｉｍｅｒのタイミング時間長が前記ＤＲＸ周期より小さい場合、前記基地局が第２のカウンターを介して前記端末が非アクティブ状態にある場合の第２の時間長を記録し、前記第２の時間長が第２の閾値より大きい場合に、前記基地局が前記ＴＡコマンドを送信することに用いられる第３の処理モジュールと、を含むことを特徴とする
項目６に記載の装置。
（項目８）
前記第１の処理モジュールは、
前記ＴＡＴｉｍｅｒのタイミング時間長がタイムアウトになるかどうかを判断し、前記ＴＡＴｉｍｅｒのタイミング時間長がタイムアウトになる時間までまだ１つの前記ＤＲＸ周期があると、タイムアウトにならない期間における前記持続期間内に前記ＴＡコマンドを送信し、それ以外の場合は、前記ＴＡコマンドの送信を停止することに用いられる第１の判断モジュールを含むことを特徴とする
項目７に記載の装置。
（項目９）
前記第３の処理モジュールは、
前記端末の状態を判断し、前記端末が非アクティブ状態から前記アクティブ状態に入る場合、前記基地局が、前記第２の時間長が前記第２の閾値より大きい場合に、前記ＴＡコマンドを送信し、前記端末がずっと前記アクティブ状態にある場合、前記ＴＡＴｉｍｅｒのタイミング時間長がタイムアウトになると、前記基地局が前記ＴＡコマンドを送信することに用いられる第２の判断モジュールを含むことを特徴とする
項目７に記載の装置。
（項目１０）
前記装置は、前記持続時間タイマーが起動時間になるかどうかを判断し、起動時間になった場合、前記基地局が前記ＴＡコマンドを送信することに用いられる第３の判断モジュールを更に備えることを特徴とする
項目７〜９のいずれか１項に記載の装置。
【発明の効果】
【００２１】
本発明では、基地局における第１のカウンターを介して端末がデータスケジューリングを実行しない場合の第１の時間長を記録し、第１の時間長が第１の閾値より大きいかどうかを判断し、第１の時間長が第１の閾値以上である場合、基地局がタイミングアドバンスＴＡコマンドを送信しなく、第１の時間長が第１の閾値より小さい場合、基地局が時間アライメントタイマーＴＡＴｉｍｅｒのタイミング時間長と不連続受信ＤＲＸ周期との比較結果によってＴＡコマンドの送信を確定することで、従来技術においてＵＥにＤＲＸが配置された場合、ＴＡＴｉｍｅｒ時間周期になり、かつＴＡコマンドを送信する必要がある場合、ＵＥがアクティブ時間にあることではないので、ＵＥがＴＡコマンドを受信できず、上りリンク非同期状態に入る問題を解決し、さらにＤＲＸが配置された場合、ＵＥが基地局と上りリンク同期を柔軟に維持することができ、かつ上りリンク非同期の発生を最大限に減少させ、システム資源の利用率効果を最適化する。
【図面の簡単な説明】
【００２２】
【図１】関連技術によるＤＲＸの動作原理を示す図である。
【図２】本発明の実施形態に係る発展型基地局の構造を示す図である。
【図３】本発明の実施形態に係るＤＲＸモードで端末が上りリンク同期を維持する処理装置の構造を示す図である。
【図４】本発明の実施形態に係るＤＲＸモードで端末が上りリンク同期を維持する処理方法のフローチャートである。
【図５】本発明の第１の好適な実施形態に係る処理方法を示す図である。
【図６】本発明の第２の好適な実施形態に係る処理方法を示す図である。
【図７】本発明の第３の好適な実施形態に係る処理方法を示す図である。
【図８】本発明の実施形態に係るＤＲＸモードで端末が上りリンク同期を維持する処理方法の詳細なフローチャートである。
【発明を実施するための形態】
【００２３】
本発明が解決しようとする技術的問題、技術的な解決策及び有益な効果が明瞭、明確になるために、以下、図面と実施形態を参照しながら、本発明を更に詳しく説明する。本明細書に記載した具体的な実施形態は、ただ本発明を解釈するためのものだけであるが、本発明を限定することに用いられるものではない。
【００２４】
図２は本発明の実施形態に係る発展型基地局の構造を示す図である。図２に示すように、当該基地局ｅＮｏｄｅＢは、ＤＲＸ各タイマーの開始及び終了とＵＥの状態変遷を維持するとともに、ＵＥがデータスケジューリングを実行しない時間カウンターとＵＥがＤＲＸ非アクティブ時間にあるカウンターを維持することに用いられるＤＲＸモジュール１と、ＴＡＴｉｍｅｒタイマーを維持し、ＤＲＸモジュールから関連する配置情報とＵＥ状態情報を取得して、ＴＡコマンドを送信する必要があるかどうかを判断し、そしてＴＡコマンドの送信を実行することに用いられるＴＡモジュール２と、を備えることができる。
【００２５】
図３は本発明の実施形態に係るＤＲＸモードで端末が上りリンク同期を維持する処理装置の構造を示す図である。図３に示すように、当該装置は、基地局における第１のカウンターを介して端末がデータスケジューリングを実行しない場合の第１の時間長を記録することに用いられる記録ユニット１０と、第１の時間長が第１の閾値より大きいかどうかを判断して、第１の時間長が第１の閾値以上である場合、基地局がタイミングアドバンスＴＡコマンドを送信せず、第１の時間長が第１の閾値より小さい場合、基地局が時間アライメントタイマーＴＡＴｉｍｅｒのタイミング時間長と不連続受信（ＤＲＸ）周期との比較結果によってＴＡコマンドの送信を確定することに用いられる処理ユニット３０と、を備える。
【００２６】
本発明の上記実施形態によれば、主として、基地局が、ＤＲＸと時間アライメントタイマーｔｉｍｅＡｌｉｇｎｍｅｎｔＴｉｍｅｒが配置されたＵＥに対して、ＤＲＸ周期及びＤＲＸでのＵＥの状態によって、ＴＡコマンドの送信タイミングを調整することにより、ＵＥができるだけＴＡコマンドを受信することを、実現する。即ち、基地局ｅＮｏｄｅＢがＵＥにＤＲＸが配置され場合、合理的にＴＡコマンドをＵＥに送信することができ、ＵＥが上りリンクタイミング調整を行うことができ、ＵＥの上りリンク非同期の発生を効果的に減少させ、システム資源の利用率を最適化する。
【００２７】
本発明の上記実施形態における処理ユニット３０は、ＴＡＴｉｍｅｒのタイミング時間長がＤＲＸ周期より大きい場合、基地局がＴＡＴｉｍｅｒがタイムアウトになる前の最後の持続時間内にＴＡコマンドを送信することに用いられる第１の処理モジュール３０１と、ＴＡＴｉｍｅｒのタイミング時間長がＤＲＸ周期に等しい場合、基地局が各持続時間内にＴＡコマンドを送信することに用いられる第２の処理モジュール３０２と、ＴＡＴｉｍｅｒのタイミング時間長がＤＲＸ周期より小さい場合、基地局が第２のカウンターを介して端末が非アクティブ状態にある場合の第２の時間長を記録し、第２の時間長が第２の閾値より大きい場合、基地局がＴＡコマンドを送信することに用いられる第３の処理モジュール３０３と、を含む。
【００２８】
具体的には、上記実施形態の技術的な解決策では第１のカウンターと第２のカウンターの２つのカウンターを実現している。基地局側は、ＵＥがどのぐらい時間でデータスケジューリングを行わないことを示すための第１のカウンターを維持し、当該カウンターが１つの閾値（例えばｔｉｍｅＡｌｉｇｎｍｅｎｔＴｉｍｅｒの４倍）より大きいと、基地局側は、ＴＡコマンドを自動的に送信しない。同時に、基地局側によって維持された第２のカウンターは、１つのＵＥがＤＲＸ非アクティブ状態時間にあるカウンター（ＳｌｅｅｐＴｉｍｅｒ）である。本発明に係る技術的な解決案として、ＵＥがデータスケジューリングを行わない時間カウンターが閾値を超えない場合、ＴＡＴｉｍｅｒの時間長とＤＲＸ周期の時間長との関係によって、下記のいくつの状況に分けて処理する。
【００２９】
ＴＡＴｉｍｅｒがＤＲＸ周期より長い場合において、ＴＡＴｉｍｅｒがタイムアウトになる前の最後のＯｎＤｕｒａｔｉｏｎ  Ｔｉｍｅｒ運転期間に、基地局は、ＴＡコマンドを送信する。
【００３０】
ＴＡＴｉｍｅｒがＤＲＸ周期に等しい場合において、各ＯｎＤｕｒａｔｉｏｎ  Ｔｉｍｅｒ運転期間に、基地局は、ＴＡコマンドを送信する。
【００３１】
ＴＡＴｉｍｅｒがＤＲＸ周期時間より短い場合において、ＵＥがＤＲＸ非アクティブ状態からアクティブ状態に入り、かつこの時にＴＡＴｉｍｅｒがタイムアウトにならなく、ＳｌｅｅｐＴｉｍｅｒが１つの閾値（例えばｔｉｍｅＡｌｉｇｎｍｅｎｔＴｉｍｅｒの時間長の１／２）に超えると、ＴＡコマンドを送信する。他の場合、ＴＡＴｉｍｅｒは、正常に維持し、ＴＡＴｉｍｅｒがタイムアウトになる時刻に、ＵＥがＤＲＸアクティブ状態にあると、基地局は、ＴＡコマンドを送信し、それ以外の場合は、基地局は、ＴＡコマンドを送信しない。
【００３２】
当該装置は、ＤＲＸが配置された場合に、ＵＥが基地局と上りリンク同期を柔軟に維持できることを効果的に保証した。ＵＥが一定の動作量を有する場合、基地局のＴＡコマンドを受信でき、上りリンク非同期の発生を最大限に減少させ、ＵＥの動作量が少ない場合、ＵＥの上りリンク同期状態を維持しないことにより、システム資源の利用を最適化する。
【００３３】
好ましくは、本発明の上記実施形態における第１の処理モジュール３０１は、ＴＡＴｉｍｅｒのタイミング時間長がタイムアウトになるかどうかを判断し、ＴＡＴｉｍｅｒのタイミング時間長がタイムアウトになる時間までまだ１つのＤＲＸ周期の長さがある場合、タイムアウトしていない期間における持続期間内にＴＡコマンドを送信し、それ以外の場合は、ＴＡコマンドの送信を停止することに用いられる第１の判断モジュールをさらに含むことができる。
【００３４】
好ましくは、本発明の上記実施形態における第３の処理モジュール３０３は、基地局が端末の状態を判断して、端末が非アクティブ状態からアクティブ状態に入る場合、基地局が第２の時間長が第２閾値より大きい場合に、ＴＡコマンドを送信し、端末がずっとアクティブ状態にある場合、ＴＡＴｉｍｅｒのタイミング時間長がタイムアウトになると、基地局がＴＡコマンドを送信することに用いられる第２の判断モジュールをさらに含むことができる。
【００３５】
本発明の上記各実施形態において、当該装置は、持続時間タイマーが起動時間になるかどうかを判断して、起動時間になる場合、基地局がＴＡコマンドを送信することに用いられる第３の判断モジュールをさらに含むことができる。
【００３６】
図４は本発明の実施形態に係るＤＲＸモードで端末が上りリンク同期を維持する処理方法のフローチャートである。図４に示すように、当該方法は、下記のステップを含む。
【００３７】
ステップＳ４０２において、基地局における第１のカウンターを介して端末がデータスケジューリングを実行しない場合の第１の時間長を記録する。
【００３８】
ステップＳ４０４において、第１の時間長が第１の閾値より大きいかどうかを判断し、第１の時間長が第１の閾値以上である場合、基地局がタイミングアドバンスＴＡコマンドを送信せず、第１の時間長が第１の閾値より小さい場合、基地局が時間アライメントタイマーＴＡＴｉｍｅｒのタイミング時間長と不連続受信ＤＲＸ周期との比較結果によってＴＡコマンドの送信を確定する。
【００３９】
本発明では、主にＤＲＸと時間アライメントタイマーｔｉｍｅＡｌｉｇｎｍｅｎｔＴｉｍｅｒが配置されたＵＥに対して、ＤＲＸ周期及びＤＲＸでのＵＥの状態によって、ＴＡコマンドの送信タイミングを調整することにより、ＵＥは、できるだけＴＡコマンドを受信することが可能となる。
【００４０】
本方法によれば、ＤＲＸが配置された場合、ＵＥが基地局と上りリンク同期を柔軟に維持できることを効果的に保証する。ＵＥが一定の動作量を有する場合、基地局からのＴＡコマンドを受信でき、上りリンク非同期の発生を最大限に減少させ、ＵＥの動作量が小さい場合、ＵＥの上りリンク同期状態を維持しないことにより、システムの資源利用を最適化する。
【００４１】
本発明の上記実施形態では、ステップＳ４０４において基地局が時間アライメントタイマーＴＡＴｉｍｅｒのタイミング時間長と不連続受信ＤＲＸ周期との比較結果によってＴＡコマンドの送信を確定することは、ＴＡＴｉｍｅｒのタイミング時間長がＤＲＸ周期より大きい場合、基地局がＴＡＴｉｍｅｒタイムアウト前の最後の持続時間内にＴＡコマンドを送信し、ＴＡＴｉｍｅｒのタイミング時間長がＤＲＸ周期に等しい場合、基地局が各持続時間内にＴＡコマンドを送信し、ＴＡＴｉｍｅｒの時間長がＤＲＸ周期より小さい場合、基地局が第２のカウンターを介して端末が非アクティブ状態にある場合の第２の時間長を記録し、第２の時間長が第２の閾値より大きい場合、基地局がＴＡコマンドを送信することを含む。
【００４２】
具体的には、図５は本発明の第１の好適な実施形態に係る処理方法を示す図である。図５に示すように、ＴＡＴｉｍｅｒがＤＲＸ周期より長い場面で、現在のプロトコルによって、ＴＡコマンドの送信タイミングに、端末がＰＤＣＣＨをモニタリングするかどうかの行為は、明らかではない。
【００４３】
当該場面では、本発明は、ＴＡＴｉｍｅｒ周期内の最後のｏｎＤｕｒａｔｉｏｎが起動した後にＴＡコマンドを送信すると、端末がＰＤＣＣＨをモニタリングしている時間におけるＴＡコマンドの着信を保証する。
【００４４】
具体的には、図６は本発明の第２の好適な実施形態の処理方法を示す図である。図６に示すように、ＴＡＴｉｍｅｒがＤＲＸ周期に等しい場面で、現在のプロトコルによって、ＴＡコマンドの送信タイミングに、端末がＰＤＣＣＨをモニタリングするかどうかの行為は、明らかではない。
【００４５】
当該場面では、本発明は、各ｏｎＤｕｒａｔｉｏｎが起動する時にＴＡコマンドを送信すると、端末がＰＤＣＣＨをモニタリングしている時間におけるＴＡコマンドの着信を保証する。特に、時刻１の場合、ＵＥがデータスケジューリングを行わない時間カウンターが設定された閾値を超え、そして今回ＴＡコマンドを送信ないと、端末は、改めてアクセスして上りリンク同期を取得する。
【００４６】
具体的には、図７は本発明の第３の好適な実施形態の処理方法を示す図である。図７に示すように、ＴＡＴｉｍｅｒがＤＲＸ周期より短い場面で、現在のプロトコルによって、ＴＡコマンドの送信タイミングに、端末がＰＤＣＣＨをモニターリングするかどうかの行為は、明らかではない。
【００４７】
当該場面では、本発明においてＵＥの実際のＤＲＸ状態を組み合わせることにより分かるように、時刻１の場合、ＴＡＴｉｍｅｒがタイムアウトになって正常にＴＡを送信し、その後ＵＥはＤＲＸ非アクティブ状態に入り、再びアクティブ状態に入るときに、ＵＥがＤＲＸ非アクティブ時間にあるカウンターが閾値を超えると判断し、この場合、直ちにＴＡを送信し、その後、ＵＥはずっとＤＲＸアクティブ状態にあり、ＴＡはＴＡＴｉｍｅｒ周期に従って送信される。時刻５と６の間に非アクティブ状態からアクティブ状態への変化があるが、ＵＥがＤＲＸ非アクティブ時間にあるカウンターが閾値を超えないので、アクティブ状態に入った後、直ちにＴＡを送信しなく、正常にＴＡＴｉｍｅｒタイマーを維持し、タイムアウトになるとＴＡを送信する。時刻７の場合は時刻２と同じであり、再びアクティブ状態に入るときに、ＵＥがＤＲＸ非アクティブ時間にあるカウンターが閾値を超えると判断し、この場合、直ちにＴＡを送信する。時刻８の場合、ＴＡＴｉｍｅｒ周期に従って送信すべきであるが、この場合にＤＲＸ非アクティブ状態にあるので、送信できなく、ＵＥが上りリンク非同期であり、改めてアクセスして上りリンク同期を取得する必要がある。
【００４８】
本発明の上記実施形態のステップにおいて、ＴＡＴｉｍｅｒのタイミング時間長がＤＲＸ周期より大きい場合、基地局がＴＡＴｉｍｅｒがタイムアウトになる前の最後の持続時間内にＴＡコマンドを送信するステップは、ＴＡＴｉｍｅｒのタイミング時間長がタイムアウトになるかどうかを判断し、ＴＡＴｉｍｅｒのタイミング時間長がタイムアウトになる時間までまだ１つのＤＲＸ周期がある場合、タイムアウトにならない期間における持続期間内にＴＡコマンドを送信し、それ以外の場合は、ＴＡコマンドの送信を停止することを含む。
【００４９】
上記実施形態のステップにおいて、ＴＡＴｉｍｅｒのタイミング時間長がＤＲＸ周期より小さい場合、基地局が第２のカウンターを介して端末が非アクティブ状態にある場合の第２の時間長を記録し、第２の時間長が第２の閾値より大きい場合、基地局がＴＡコマンドを送信するステップは、基地局が端末の状態を判断し、端末が非アクティブ状態からアクティブ状態に入るときに、基地局が第２の時間長が第２閾値より大きい場合、ＴＡコマンドを送信し、端末がずっとアクティブ状態にある場合、ＴＡＴｉｍｅｒのタイミング時間長がタイムアウトになると、基地局がＴＡコマンドを送信することを含む。
【００５０】
好ましくは、上記実施形態において持続時間内にＴＡコマンドを送信するステップは、持続時間タイマーが起動時間になるかどうかを判断し、起動時間になった場合、基地局がＴＡコマンドを送信することを含む。
【００５１】
上記実施形態により分かるように、実現プロセスにおいて、基地局スケジューラは、端末のＤＲＸ配置パラメータを知ているので、ＤＲＸ配置及び端末の上りリンクおよび下りリンクスケジューリング状況に応じて、ＤＲＸに関連するタイマーの運転状況を計算することができ、及び、端末がＤＲＸアクティブ時間にあるかどうかを知ることができる。スケジューラは、ＤＲＸが配置された各ＵＥに対して、ＵＥがデータスケジューリングを実行しない時間カウンターと、ＵＥがＤＲＸ非アクティブ時間にあるカウンターの２つのカウンターを維持する必要がある。ＵＥがデータスケジューリングを実行しない時間カウンターの作用として、ＵＥがかなり長い時間内にデータをスケジューリングしないと（当該タイマーが設定された閾値を超えることを判断根拠とする）、ＵＥのデータ量が小さいと認定でき、基地局側がＵＥの上りリンク同期（このようにして、システム資源を節約することができる）を維持する必要がなく、必要な場合にＵＥが改めてアクセスする方式で同期化されることができる。ＵＥがＤＲＸ非アクティブ時間にあるカウンターの作用として、基地局がＴＡコマンドタイマーを送信する時間長がＤＲＸ周期より小さい場合、ＴＡコマンドタイマーのタイムアウト時間内にｏｎＤｕｒａｔｉｏｎＴｉｍｅｒの運転チャンスがあることを保証できなく、またＵＥがＤＲＸアクティブ時間にある可能を保証できない。ＴＡコマンドの送信チャンスを保証するために、基地局は、ＵＥが毎回ＤＲＸアクティブ状態に入るときに判断し、ＵＥがＤＲＸ非アクティブ時間にあるカウンターが設定された閾値より大きいと、ＴＡコマンドタイマーが間もなくタイムアウトになる可能性が高く、この場合にＴＡコマンドを送信する必要がある。
【００５２】
図８は本発明の実施形態に係るＤＲＸモードで端末が上りリンク同期を維持する処理方法の詳細なフローチャートである。図８を参照しながら本方法の実施を更に詳しく説明する。
【００５３】
ステップＳ２０１において、配置されたｔｉｍｅＡｌｉｇｎｍｅｎｔＴｉｍｅｒによってＴＡＴｉｍｅｒタイマーを計算し、そして配置されたＤＲＸ周期長と比較し、結果によって相応するステップに移行して実行する。ＴＡＴｉｍｅｒがＤＲＸ周期より長いと、ステップＳ２０２に入り、ＴＡＴｉｍｅｒがＤＲＸ周期に等しいと、ステップＳ２０３に入り、ＴＡＴｉｍｅｒがＤＲＸ周期時間より短いと、ステップ２０４（ステップＳ２０４ａ、ステップＳ２０４ｂ、ステップＳ２０４ｃを含む）に入る。
【００５４】
ステップＳ２０２において、ＴＡＴｉｍｅｒのタイムアウト時間を判断し、ＴＡＴｉｍｅｒがタイムアウトになるまでまだ１つのＤＲＸ周期の長さの時間点があると、次のｏｎＤｕｒａｔｉｏｎに運転する時にＴＡコマンドを送信し、ステップ２０３に入って実行することができる。
【００５５】
ステップＳ２０３において、  ｏｎＤｕｒａｔｉｏｎタイマーの起動時間になるかどうかを判断し、ｏｎＤｕｒａｔｉｏｎタイマーの起動時間になった場合、ステップＳ２０５を実行し、それ以外の場合は、本操作を終了させる。
【００５６】
ステップＳ２０４において、ＵＥの状態を判断し、ＵＥがアクティブ状態にあり、かつＴＡＴｉｍｅｒのタイムアウト時間になると、ステップＳ２０５を実行し、ＵＥが非アクティブ状態からアクティブ状態に入ると、ＤＲＸ非アクティブ時間にあるカウンターが設定された閾値を超えるかどうかを判断し、設定された閾値を超えた場合、ステップＳ２０５を実行し、それ以外の場合は、正常にＴＡＴｉｍｅｒを維持する。
【００５７】
ステップＳ２０５において、ＵＥがデータスケジューリングを実行しない時間カウンターが設定された閾値を超えるかどうかを判断し、設定された閾値を超えた場合、ＴＡコマンドを送信する。
【００５８】
本発明の実施形態において図面におけるフローチャートに示されるステップは、コマンドを実行可能な１組のコンピュータのようなコンピュータシステムで実行されることができ、かつ、フローチャートに倫理的順序が示されたが、ある場合で、これとは異なる順序で示されるまたは記載されるステップを実行することができると説明すべきである。  
【００５９】
以上の実施形態の記載より分かるように、本発明によれば、ｅＮｏｄｅＢがＵＥにＤＲＸが配置された場合に、合理的にＴＡコマンドをＵＥに送信することができ、ＵＥが上りリンクタイミングを調整することが可能となり、ＵＥの上りリンク非同期の発生を効果的に減少させるという技術的効果を達成した。
【００６０】
明らかに、当業者にとっては、上記の本発明の各モジュールまたは各ステップが汎用コンピュータ装置で実現されることができ、それらが単一のコンピュータに統合されてよく、または複数のコンピュータ装置からなるネットワークに分散されてもよく、必要に応じて、それらがコンピュータ装置実行可能なプログラムコードで実現されることができ、したがって、それらを記憶装置に記憶してコンピュータ装置により実行し、または、それらをそれぞれ複数の集積回路モジュールに製作し、または、それらのうちの複数のモジュールまたはステップを単一の集積回路モジュールに製作して実現することができると理解すべきである。このように、本発明は、いかなる特定のハードウエアとソフトウエアの組み合わせに限定されるものではない。
【００６１】
上記の説明は、本発明の１つの好適な実施形態を示して説明するが、上述したように、本発明は、本明細書に開示された形態に限定されるものではないと理解すべきであって、他の実施形態を排除するとみなすべきではなく、様々な他の組み合わせ、変更及び環境に応用することができ、そして本説明書に記載の発明の構想範囲内に、上記の教示または関連分野の技術または知識で変更することができる。当業者により行われた修正および変更は、本発明の主旨精神及び範囲を逸脱することないと、本発明に添付した特許請求の範囲にあるべきである。
【産業上の利用可能性】
【００６２】
本発明によれば、ｅＮｏｄｅＢがＵＥにＤＲＸが配置された場合、ＴＡコマンドを合理的にＵＥに送信することにより、ＵＥが上りリンクタイミングを調整することが可能となり、ＵＥの上りリンク非同期の発生を効果的に減少させることを、達成する。
【図１】
0005724036.tif 000002
【図２】
0005724036.tif 000003
【図３】
0005724036.tif 000004
【図４】
0005724036.tif 000005
【図５】
0005724036.tif 000006
【図６】
0005724036.tif 000007
【図７】
0005724036.tif 000008
【図８】
0005724036.tif 000009